(57)【要約】      （修正有）【課題】搬送不良が発生した記録媒体を送込位置へ搬送する際、中間転写手段を回転駆動させない場合に比較して、記録媒体を送込位置へ搬送しやすくする画像形成装置を提供する。【解決手段】複数の像保持手段上に形成された画像を転写媒体３１に転写する複数の第１転写手段２５Ｋ，Ｃ，Ｍ，Ｙと、前記転写媒体に転写された画像を記録媒体に転写する第２転写手段３３と、前記第２転写手段に前記記録媒体を搬送する第１搬送手段と、搬送不良が発生した前記記録媒体を前記第１搬送手段により送込位置へ搬送する際、前記複数の第１転写手段の少なくとも一部を離間させ且つ前記第２転写手段を接触させて前記転写媒体を駆動する駆動手段と、を備える。【選択図】図１
2020052201.tif 000002
【特許請求の範囲】
【請求項１】
複数の像保持手段上に形成された画像を中間転写手段に転写する複数の第１転写手段と、
前記中間転写手段に転写された画像を記録媒体に転写する第２転写手段と、
前記第２転写手段に前記記録媒体を搬送する第１搬送手段と、
搬送不良が発生した前記記録媒体を前記第１搬送手段により送込位置へ搬送する際、前記複数の第１転写手段の少なくとも一部を離間させ且つ前記第２転写手段を接触させて前記中間転写手段を駆動する駆動手段と、
を備える画像形成装置。
【請求項２】
複数の像保持手段上に形成された画像を中間転写手段に転写する複数の第１転写手段と、
前記中間転写手段に転写された画像を記録媒体に転写する第２転写手段と、
前記第２転写手段に前記記録媒体を搬送する第１搬送手段と、
搬送不良が発生した前記記録媒体を前記第１搬送手段により送込位置へ搬送する際、前記第１及び第２転写手段を接触させて前記中間転写手段を駆動する駆動手段と、
を備える画像形成装置。
【請求項３】
前記第２転写手段は、前記記録媒体を介して前記中間転写手段に接触して従動回転することを特徴とする請求項１又は２に記載の画像形成装置。
【請求項４】
前記第２転写手段は、回転駆動されることを特徴とする請求項１又は２に記載の画像形成装置。
【請求項５】
前記第２転写手段は、前記駆動手段と同一又は異なる駆動手段から駆動力を伝達されることで回転駆動されることを特徴とする請求項４に記載の画像形成装置。
【請求項６】
搬送不良が発生した前記記録媒体を前記第１搬送手段により送込位置へ搬送しない場合、前記第２転写手段を前記中間転写手段から離間させる請求項１乃至５のいずれかに記載の画像形成装置。
【請求項７】
前記複数の像保持手段のうち、前記中間転写手段の移動方向に沿った前記第２転写手段の上流側に最も近接した前記像保持手段は、独自の駆動手段を備え、
搬送不良が発生した前記記録媒体を前記第１搬送手段により送込位置へ搬送する際、前記独自の駆動手段を備えた前記像保持手段に対応した前記第１転写手段を前記中間転写手段から離間させず、前記像保持手段を独自の駆動手段により駆動する請求項１又は２に記載の画像形成装置。
【請求項８】
前記第１搬送手段の前記記録媒体の搬送方向に沿った上流側に配置されて前記記録媒体を搬送する第２搬送手段と、
情報をユーザーに提示する情報提示手段と、
を備え、
前記記録媒体の先端が前記第２転写手段に達する前に搬送不良が発生したときには、前記記録媒体を前記第１搬送手段によって送込位置へ搬送する動作を実行せず、前記第２搬送手段側から前記記録媒体を引き抜くよう前記情報提示手段によってユーザーに情報を提示する請求項１乃至７のいずれかに記載の画像形成装置。
【請求項９】
前記記録媒体が長尺な記録用紙でない場合は、前記転写手段を回転駆動させない請求項１乃至８のいずれかに記載の画像形成装置。
【発明の詳細な説明】
【技術分野】
【０００１】
この発明は、画像形成装置に関する。
【背景技術】
【０００２】
従来、画像形成装置としては、手差しトレイ等から給紙して長尺な記録用紙に画像を形成可能に構成したものがある。かかる画像形成装置において、長尺な記録用紙にジャムが発生した場合に当該長尺な記録用紙のジャム処理を行う技術としては、例えば、特許文献１及び２等に開示されたものが既に提案されている。
【０００３】
特許文献１は、給紙機構から給紙された用紙に画像を形成し、用紙に形成された画像を定着器により定着させて排紙する画像形成装置において、給紙機構から給紙された前記用紙を搬送する搬送ローラと、前記用紙を前記定着器において搬送する定着ローラと、前記用紙を排紙する排紙ローラと、画像形成の為の情報を受信する受信手段と、搬送される用紙の用紙サイズを検知する検知手段と、前記検知手段により検知した用紙サイズ情報と前記受信手段により受信した用紙サイズ情報とを比較する比較手段と、前記比較手段の結果を報知する報知手段と、前記搬送される用紙が長尺紙であることを判定する判定手段と、前記用紙の搬送不良の検知に応じて用紙搬送の停止又は用紙搬送の継続を制御するジャム処理制御手段と、前記比較手段による比較の結果、用紙サイズ不一致を検知した場合に画像形成動作を中止するよう制御するミスプリント処理制御手段と、前記ジャム処理制御手段と前記ミスプリント処理制御手段を切換える切換手段を備え、前記判定手段により前記搬送される用紙が長尺紙と判定され、前記用紙の搬送不良を検知した場合に、前記切換手段にて前記ジャム処理制御手段を、用紙の後端を所定の位置まで搬送する長尺紙用ジャム処理制御手段に切換え、用紙サイズ不一致を検知した場合に、前記切換手段にて前記ミスプリント処理制御手段を、用紙を所定の位置まで搬送し、駆動を停止する長尺紙用ミスプリント処理制御手段に切換えるように構成したものである。
【０００４】
特許文献２は、通紙経路に沿って長尺紙を搬送する用紙搬送部と、前記用紙搬送部によって搬送される長尺紙に画像を形成する画像形成部と、前記用紙搬送部の一部を含み、当該画像形成装置の本体部に着脱可能に取り付けられる用紙搬送ユニットと、前記用紙搬送ユニットの用紙搬送方向上流側及び用紙搬送方向下流側に配置され、前記通紙経路に通紙されている長尺紙を用紙幅方向に切断する用紙切断部と、を備え、前記用紙切断部は、前記用紙搬送ユニットの引き出し動作に連動して前記長尺紙を切断するように構成したものである。
【先行技術文献】
【特許文献】
【０００５】
【特許文献１】特開２００８−２５４８６８号公報
【特許文献２】特開２０１６−１４８８１３号公報
【発明の概要】
【発明が解決しようとする課題】
【０００６】
この発明の目的は、搬送不良が発生した記録媒体を送込位置へ搬送する際、中間転写手段を回転駆動させない場合に比較して、記録媒体を送込位置へ搬送しやすくすることにある。
【課題を解決するための手段】
【０００７】
請求項１に記載された発明は、複数の像保持手段上に形成された画像を中間転写手段に転写する複数の第１転写手段と、
前記中間転写手段に転写された画像を記録媒体に転写する第２転写手段と、
前記第２転写手段に前記記録媒体を搬送する第１搬送手段と、
搬送不良が発生した前記記録媒体を前記第１搬送手段により送込位置へ搬送する際、前記複数の第１転写手段の少なくとも一部を離間させ且つ前記第２転写手段を接触させて前記中間転写手段を駆動する駆動手段と、
を備える画像形成装置である。
【０００８】
請求項２に記載された発明は、複数の像保持手段上に形成された画像を中間転写手段に転写する複数の第１転写手段と、
前記中間転写手段に転写された画像を記録媒体に転写する第２転写手段と、
前記第２転写手段に前記記録媒体を搬送する第１搬送手段と、
搬送不良が発生した前記記録媒体を前記第１搬送手段により送込位置へ搬送する際、前記第１及び第２転写手段を接触させて前記中間転写手段を駆動する駆動手段と、
を備える画像形成装置である。
【０００９】
請求項３に記載された発明は、前記第２転写手段は、前記記録媒体を介して前記中間転写手段に接触して従動回転することを特徴とする請求項１又は２に記載の画像形成装置である。
【００１０】
請求項４に記載された発明は、前記第２転写手段は、回転駆動されることを特徴とする請求項１又は２に記載の画像形成装置である。
【００１１】
請求項５に記載された発明は、前記第２転写手段は、前記駆動手段と同一又は異なる駆動手段から駆動力を伝達されることで回転駆動されることを特徴とする請求項４に記載の画像形成装置である。
【００１２】
請求項６に記載された発明は、搬送不良が発生した前記記録媒体を前記第１搬送手段により送込位置へ搬送しない場合、前記第２転写手段を前記中間転写手段から離間させる請求項１乃至５のいずれかに記載の画像形成装置である。
【００１３】
請求項７に記載された発明は、前記複数の像保持手段のうち、前記中間転写手段の移動方向に沿った前記第２転写手段の上流側に最も近接した前記像保持手段は、独自の駆動手段を備え、
搬送不良が発生した前記記録媒体を前記第１搬送手段により送込位置へ搬送する際、前記独自の駆動手段を備えた前記像保持手段に対応した前記第１転写手段を前記中間転写手段から離間させず、前記像保持手段を独自の駆動手段により駆動する請求項１又は２に記載の画像形成装置である。
【００１４】
請求項８に記載された発明は、前記第１搬送手段の前記記録媒体の搬送方向に沿った上流側に配置されて前記記録媒体を搬送する第２搬送手段と、
情報をユーザーに提示する情報提示手段と、
を備え、
前記記録媒体の先端が前記第２転写手段に達する前に搬送不良が発生したときには、前記記録媒体を前記第１搬送手段によって送込位置へ搬送する動作を実行せず、前記第２搬送手段側から前記記録媒体を引き抜くよう前記情報提示手段によってユーザーに情報を提示する請求項１乃至７のいずれかに記載の画像形成装置である。
【００１５】
請求項９に記載された発明は、前記記録媒体が長尺な記録用紙でない場合は、前記転写手段を回転駆動させない請求項１乃至８のいずれかに記載の画像形成装置である。
【発明の効果】
【００１６】
請求項１に記載された発明によれば、搬送不良が発生した記録媒体を送込位置へ搬送する際、中間転写手段を回転駆動させない場合に比較して、記録媒体を送込位置へ搬送しやすくなる。
【００１７】
請求項２に記載された発明によれば、搬送不良が発生した記録媒体を送込位置へ搬送する際、中間転写手段を回転駆動させない場合に比較して、記録媒体を送込位置へ搬送しやすくすることができる。
【００１８】
請求項３に記載された発明によれば、第２転写手段を回転駆動する場合に比較して、構成の簡略化が可能となる。
【００１９】
請求項４に記載された発明によれば、第２転写手段を回転駆動しない場合に比較して、記録媒体を送込位置へ確実に搬送可能となる。
【００２０】
請求項５に記載された発明によれば、第２転写手段を回転駆動しない場合に比較して、記録媒体を送込位置へ確実に搬送可能となる。
【００２１】
請求項６に記載された発明によれば、搬送不良が発生した記録媒体の除去が容易となる。
【００２２】
請求項７に記載された発明によれば、駆動源を備えた像保持手段において、第１転写手段を離間させる機構が不要となる。
【００２３】
請求項８に記載された発明によれば、記録媒体の先端が第２転写手段に達する前に搬送不良が発生したときには、記録媒体を第１搬送手段によって送込位置へ送り込むよう搬送する動作を実行せず、且つ第２転写手段を駆動することなく、第２搬送手段側から記録媒体を引き抜くよう情報提示手段によってユーザーに情報を提示しない場合に比較して、搬送不良を起こした定着画像のある記録媒体を除去することによる機内汚れの可能性を低減しつつ、定着画像のない記録媒体を除去しやすくすることができる。
【００２４】
請求項９に記載された発明によれば、記録媒体が長尺な記録用紙でないときに、中間転写手段を回転駆動させる場合に比較して、電力を低減することができる。
【図面の簡単な説明】
【００２５】
【図１】この発明の実施の形態１に係る画像形成装置を示す概略構成図である。
【図２】この発明の実施の形態１に係る画像形成装置の画像形成部を示す構成図である。
【図３】記録用紙を示す説明図である。
【図４】この発明の実施の形態１に係る画像形成装置の一部を示す構成図である。
【図５】この発明の実施の形態１に係る画像形成装置の制御装置を示すブロック図である。
【図６】用紙搬送ユニットを示す構成図である。
【図７】画像形成装置を示す斜視構成図である。
【図８】用紙搬送ユニットを引き出した画像形成装置の一部を示す構成図である。
【図９】長尺紙に搬送不良が発生した状態を示す構成図である。
【図１０】長尺紙に搬送不良が発生した状態を示す構成図である。
【図１１】この発明の実施の形態１に係る画像形成装置における搬送不良が発生した記録用紙の除去動作を示すフローチャートである。
【図１２】長尺紙に搬送不良が発生した状態を示す構成図である。
【図１３】この発明の実施の形態１に係る画像形成装置における搬送不良が発生した記録用紙の除去動作を示すタイングチャートである。
【図１４】この発明の実施の形態１に係る画像形成装置における搬送不良が発生した記録用紙の除去動作を示す構成図である。
【図１５】長尺紙に搬送不良が発生した状態を示す構成図である。
【図１６】搬送不良が発生した記録用紙の除去手順を示す説明図である。
【図１７】長尺紙に搬送不良が発生した状態を示す構成図である。
【図１８】搬送不良が発生した記録用紙の除去動作を示す構成図である。
【図１９】この発明の実施の形態２に係る画像形成装置を示す概略構成図である。
【図２０】この発明の実施の形態２に係る画像形成装置の制御装置を示すブロック図である。
【図２１】この発明の実施の形態２に係る画像形成装置の一部を示す構成図である。
【発明を実施するための形態】
【００２６】
以下に、この発明の実施の形態について図面を参照して説明する。
【００２７】
[実施の形態１]
図１及び図２は、実施の形態１に係る画像形成装置を示すものである。図１はその画像形成装置の全体の概要を示し、図２はその画像形成装置における一部（作像装置など）を拡大して示している。
【００２８】
＜画像形成装置の全体の構成＞
画像形成装置１は、電子写真方式を採用して、文字、写真、図形等からなる画像情報に基づきトナーで構成される画像を最終的に記録媒体の一例である記録用紙９に形成するフルカラープリンタである。画像形成装置１は、図１に示されるように、全体が箱状の外観からなる装置本体１０を有している。画像形成装置１は、装置本体１０の内部に、現像剤としてのトナーで構成されるトナー像を形成する作像装置２０と、作像装置２０で形成されたトナー像を一次転写により保持した後に記録用紙９に二次転写する二次転写位置まで搬送する中間転写装置３０と、中間転写装置３０の二次転写位置に供給する記録用紙９を収容するとともに供給する給紙装置４０と、中間転写装置３０で二次転写されたトナー像を記録用紙９に定着させる定着装置５０と、給紙装置４０等から供給される記録用紙９を所要の搬送路に沿って搬送する用紙搬送装置６０等が配置されている。装置本体１０は、例えば、支持部材、外装材等の材料を用いて支持構造部や外装部が形成されている。図１に示す一点鎖線は、装置本体１０の内部における記録用紙９の主な搬送路である。
【００２９】
また、画像形成装置１には、画像形成装置１の動作に関する指示や条件等を入力する入力部１４ａと、その動作の条件や状態等の各種情報を表示する表示部１４ｂを有する情報提示手段の一例としての操作表示装置１４や、画像形成装置１の全体（上記の各装置など）の動作を総括して制御する制御装置１００等も配置されている。
【００３０】
作像装置２０は、イエロー（Ｙ）、マゼンタ（Ｍ）、シアン（Ｃ）及びブラック（Ｋ）の４色の現像剤（トナー）像をそれぞれ個別に形成する４つの作像装置２０Ｙ，２０Ｍ，２０Ｃ，２０Ｋを用いて構成されている。この作像装置２０（Ｙ，Ｍ，Ｃ，Ｋ）はいずれも、図１や図２に示されるように、像保持手段の一例としての感光体ドラム２１をそれぞれ備えている。各感光体ドラム２１の周囲には、帯電装置２２、露光装置２３、現像装置２４、一次転写装置２５、ドラム清掃装置２６、除電器２７（図２参照）等がそれぞれ配置されている。
【００３１】
感光体ドラム２１は、例えば、接地処理される円筒又は円柱状の導電性基材の周面に感光材料からなる光誘電層（感光体層）を有する像形成面（像形成可能範囲）を形成したドラム形態の感光体である。この感光体ドラム２１は、図示しない駆動装置から動力を受けて矢印Ａで示す方向に回転駆動するよう設けられている。
【００３２】
帯電装置２２は、例えば、感光体ドラム２１の像形成面に接触して従動回転する状態で配置されるとともにマイナス極性の所要の帯電バイアスが供給される帯電ロール２２１を備えた接触型の帯電装置である。帯電ロール２２１は、図２に示されるように、円柱形状の金属からなる回転軸２２３の外周に導電性を有する弾性体層２２４を被覆して構成されている。なお、帯電装置２２としては、接触型の帯電装置に限定されるものではなく、スコロトロン等の非接触型の帯電装置を用いても良い。
【００３３】
露光装置２３は、例えば、発光ダイオードと光学部品等を用いて構成される非走査型の露光装置か、あるいは、半導体レーザとポリゴンミラー等の光学部品を用いて構成される走査型の露光装置である。露光装置２３には、通信手段、画像読取装置等を通して外部から入力された画像情報や内部の記憶部に格納されている画像情報が、図示しない画像処理装置で所要の処理を施された後に各色成分（Ｙ，Ｍ，Ｃ，Ｋ）に分解された画像信号として入力される。露光装置２３は、その入力される画像信号に応じた露光を行う。
【００３４】
現像装置２４は、例えば、前記４色（Ｙ，Ｍ，Ｃ，Ｋ）のいずれか１色のトナーと磁性キャリアを含む二成分現像剤を利用する現像装置２４（Ｙ，Ｍ，Ｃ，Ｋ）である。また、現像装置２４（Ｙ，Ｍ，Ｃ，Ｋ）は、例えばトナーをマイナス極性に帯電させて反転現像を行うよう使用される。さらに、現像装置２４（Ｙ，Ｍ，Ｃ，Ｋ）は、図２に示されるように、筐体内に収容されている二成分現像剤を保持して感光体ドラム２１と対向する現像領域に搬送するよう回転する現像剤保持手段の一例としての現像ロール２４１等を備えている。現像ロール２４１には、感光体ドラム２１との間に例えば直流成分に交流成分を重畳した現像バイアスが供給される。
【００３５】
一次転写装置２５は、例えば、感光体ドラム２１の一次転写位置とする像形成面部分に（後述の中間転写ベルト３１を介した状態で）接触して従動回転するよう配置されるとともに、所要の一次転写バイアスが供給される一次転写ロールを備えた第１転写手段の一例としての接触型の一次転写装置である。一次転写装置２５は、所要のタイミングで感光体ドラム２１に対して接離する方向に沿って図示しない接離手段により移動可能に構成されている。
【００３６】
ドラム清掃装置２６は、筐体の清掃作業用開口において感光体ドラム２１の少なくとも一次転写後の像形成面部分に接触するよう配置されて、その像形成面上にある残留トナー等の不要物を掻き取って除去する弾性板等の清掃部材等を備えている。
【００３７】
除電器２７は、例えば、感光体ドラム２１の像形成面を露光等により除電して表面電位をほぼゼロにするものである。
【００３８】
中間転写装置３０は、４つの作像装置２０（Ｙ，Ｍ，Ｃ，Ｋ）の下方側となる位置に配置されている。この中間転写装置３０は、作像装置２０（Ｙ，Ｍ，Ｃ，Ｋ）における感光体ドラム２１の一次転写装置２５と向き合う一次転写位置をそれぞれ通過しながら矢印Ｂで示す方向に回転するよう配置される中間転写手段の一例としての中間転写ベルト３１を備えている。
【００３９】
中間転写ベルト３１は、ポリイミド樹脂、ポリアミド樹脂等の基材にカーボン等の抵抗調整剤を分散してなる材料を用いて所要の厚さ及び電気抵抗値からなる無端ベルト状に成形されたものである。
【００４０】
また、中間転写ベルト３１は、複数の支持ロール３２ａ〜３２ｃに掛け回されて回転自在に支持されている。支持ロール３２ａは駆動ロールとして、支持ロール３２ｂは支持ロール３２ａと協働して中間転写ベルト３１の一次転写面を保持する従動ロールとして、支持ロール３２ｃは二次転写バックアップロールとして、それぞれ構成されている。
【００４１】
また、中間転写装置３０は、中間転写ベルト３１上に転写されたトナー像を記録用紙９に二次転写させる第２転写手段の一例としての二次転写装置３３と、中間転写ベルト３１の外周面における像保持面に残留して付着するトナー等の不要物を除去して清掃する中間転写装置３０の清掃手段の一例としてのベルト清掃装置３４等を備えている。
【００４２】
二次転写装置３３は、例えば、通常の画像形成時、中間転写ベルト３１の支持ロール３２ｃに支持されている像保持面部分に接触して回転するよう配置される二次転写ロール３３１を備えた接触型の転写装置が採用される。また、二次転写装置３３は、二次転写ロール３３１が接地処理されている。支持ロール３２ｃには、トナーの帯電極性と同極性であるマイナス極性の所要の二次転写バイアスが図示しない高圧電源から供給される。二次転写ロール３３１は、所要のタイミングで支持ロール３２ｃに対して接離する方向に沿って図示しない接離手段により移動可能に配置されている。二次転写装置３３としては、単一の二次転写ロール３３１のみから構成されるものに限定されるものではなく、二次転写ロールを含む複数のロールに張架された二次転写ベルト等を備えたものであっても良い。
【００４３】
ベルト清掃装置３４は、筐体の清掃作業用開口において中間転写ベルト３１の少なくとも二次転写後の像保持面部分に接触するよう配置されて、その像保持面上にある残留トナー等の不要物を掻き取って清掃する弾性板等の清掃部材等を備えている。
【００４４】
給紙装置４０は、中間転写装置３０の下方側になる位置に配置されている。この給紙装置４０は、装置本体１０に対して引き出し自在に取り付けられ、所望のサイズ、種類等の記録用紙９が図示しない積載板の上に積み重ねた状態で収容される収容体４１と、その収容体４１から記録用紙９を１枚ずつ給紙搬送路にむけて送り出す送出装置４２とを備えている。送出装置４２は、収容体４１から記録用紙９を１枚ずつ給紙搬送路に向けて送り出す送出ロール４２ａと、送出ロール４２ａが送り出した記録用紙９を二次転写位置に向けて供給するための供給ロール４２ｂと、供給ロール４２ｂが接触していない記録用紙９が搬送されることを阻止して記録用紙９を１枚ずつ捌く捌きロール４２ｃとから構成されている。収容体４１及び送出装置４２の数は、必要に応じて増減される。
【００４５】
また、画像形成装置１は、装置本体１０の側面（図中、左側面）に開いた状態で使用され、手差しトレイ７１から所望のサイズ、種類等の記録用紙９を供給する給紙装置７０を備えている。
【００４６】
手差し給紙装置７０は、装置本体１０の左側面に開閉可能となるよう取り付けられ、所望のサイズ、種類等の記録用紙９が積み重ねた状態で載置される手差しトレイ７１と、手差しトレイ７１から記録用紙９を１枚ずつ給紙搬送路にむけて送り出す送出装置７２とを備えている。送出装置７２は、手差しトレイ７１から記録用紙９を１枚ずつ給紙搬送路にむけて送り出す送出ロール７２ａと、送出ロール７２ａが送り出した記録用紙９を二次転写位置に向けて供給するための供給ロール７２ｂと、供給ロール７２ｂが接触していない記録用紙９が搬送されることを阻止して記録用紙９を１枚ずつ捌く捌きロール７２ｃとから構成されている。画像形成装置１の装置本体１０には、手差しトレイ７１の開閉状態を検知する図示しない開閉センサが配置されている。画像形成装置１は、図示しない開閉センサによって手差しトレイ７１が開かれた状態にあることを検知すると、給紙装置４０ではなく、手差し給紙装置７０から記録用紙９が供給されると判別して動作する。
【００４７】
記録用紙９は、装置本体１０内における搬送路による搬送が可能であってトナー像の転写及び定着が可能な記録媒体であれば適用することができる。記録用紙９としては、例えば、電子写真方式の複写機、プリンタ等に使用される普通紙やトレーシングペーパー等の薄紙、あるいはＯＨＰシート等が挙げられる。定着後における画像表面の平滑性をさらに向上させるには、記録用紙９の表面もできるだけ平滑であることが好ましく、例えば、普通紙の表面を樹脂等でコーティングしたコート紙、印刷用のアート紙等の坪量が相対的に大きい所謂厚紙なども好適に使用することができる。
【００４８】
また、画像形成装置１は、手差し給紙装置７０から給紙することで長尺な記録媒体の一例としての所謂長尺紙９ａも使用可能となっている。ここで、長尺紙９ａとは、例えば、図３に示されるように、画像形成装置１において通常の画像形成が可能な定型サイズの記録用紙のうち、最大サイズの記録用紙９（例えば、Ａ３サイズ）の搬送方向に沿った長さＬ１（＝４２０ｍｍ）よりも長い、搬送方向に沿った長さＬ２（＝４５０〜１２００ｍｍ程度）をもつ記録用紙をいう。長尺紙９ａとしては、例えば、２１０ｍｍ×６００ｍｍ、２９７ｍｍ×９００ｍｍ、２９７ｍｍ×１２００ｍｍなど種々のサイズの記録用紙が挙げられる。ただし、長尺紙９ａは、これに限定されるものではなく、例えば、画像形成装置１において通常の画像形成が可能な定型サイズの記録用紙のうち、一部のサイズの記録用紙（例えば、Ａ４サイズ）の搬送方向に沿った長さよりも長い搬送方向に沿った長さをもつ記録用紙を長尺紙９ａとして扱ってもよい。
【００４９】
定着装置５０は、中間転写装置３０の二次転写位置より記録用紙９の搬送方向に沿った下方側に配置されている。この定着装置５０は、記録用紙９の導入口５１ａ及び排出口５１ｂが形成された筐体５１の内部に、矢印で示す方向に回転するとともに表面温度が所定の温度に保持されるよう加熱手段によって加熱されるロール形態又はベルト形態からなる加熱用回転体５２と、この加熱用回転体５２の軸方向にほぼ沿う状態で所定の圧力で接触して従動回転するロール形態又はベルト形態からなる加圧用回転体５３とを設置したものである。筐体５１の排出口５１ｂには、記録用紙９を筐体５１から排出するよう搬送する出口ロール５４が設けられている。この定着装置５０では、加熱用回転体５２と加圧用回転体５３とが接触する部分が、トナー像を保持する記録用紙９が導入されて定着処理（加熱及び加圧）される定着処理部として構成されている。
【００５０】
また、画像形成装置１には、装置本体１０の内部に記録用紙９の主な用紙搬送路として、給紙装置４０と中間転写装置３０との間をつなぐ供給搬送路Ｒｔ１と、手差し給紙装置７０と中間転写装置３０との間をつなぐ補助供給搬送路Ｒｔ１’と、中間転写装置３０の二次転写位置と定着装置５０との間をつなぐ中継搬送路Ｒｔ２と、定着装置５０と装置本体１０の用紙排出口１１との間をつなぐ排出搬送路Ｒｔ３と、排出搬送路Ｒｔ３の途中から下方に分岐して記録用紙９の表裏を反転させる反転搬送路Ｒｔ４と、反転搬送路Ｒｔ４の途中から側方に分岐して表裏が反転された記録用紙９を供給搬送路Ｒｔ１へ搬送する両面搬送路Ｒｔ５が設けられている。
【００５１】
用紙搬送装置６０は、供給搬送路Ｒｔ１，補助供給搬送路Ｒｔ１’、中継搬送路Ｒｔ２、排出搬送路Ｒｔ３、反転搬送路Ｒｔ４及び両面搬送路Ｒｔ５に沿って記録用紙９を搬送するよう構成されている。
【００５２】
供給搬送路Ｒｔ１及び補助供給搬送路Ｒｔ１’は、給紙装置４０及び手差し給紙装置７０から送り出される記録用紙９を中間転写装置３０の二次転写位置まで搬送して供給する搬送路である。供給搬送路Ｒｔ１は、給紙装置４０から送り出される記録用紙９を搬送する複数の用紙搬送ロール対４５ａ〜４５ｃ等と図示しない複数の用紙案内部材等を備えている。補助供給搬送路Ｒｔ１’は、手差し給紙装置７０から送り出される記録用紙９を搬送する用紙搬送ロール対４５ｄ等と図示しない複数の用紙案内部材等を備えている。補助供給搬送路Ｒｔ１’は、用紙搬送ロール対４５ｃの記録用紙９の搬送方向に沿った上流側において供給搬送路Ｒｔ１と合流されている。
【００５３】
供給搬送路Ｒｔ１において二次転写位置の直前の位置に配置される用紙搬送ロール対４５ｃは、例えば記録用紙９の搬送時期を調整する第１搬送手段の一例としてのレジストロールとして構成されている。用紙搬送ロール対４５ｂ，４５ｄは、用紙搬送ロール対４５ｃの記録用紙９の搬送方向に沿った上流側に配置された第２搬送手段の一例としてのプリレジストロールをそれぞれ構成している。プリレジストロールとしての用紙搬送ロール対４５ｂ，４５ｄは、記録用紙９の先端が停止状態にある用紙搬送ロール対４５ｃのニップ部に当接するよう搬送する。レジストロールとしての用紙搬送ロール対４５ｃは、中間転写ベルト３１上に一次転写されるトナー像と同期して回転を開始し、記録用紙９を用紙搬送ロール対４５ｂ，４５ｄと共に中間転写ベルト３１の二次転写位置へと搬送する。
【００５４】
中継搬送路Ｒｔ２は、二次転写後の記録用紙９を定着装置５０まで搬送する搬送路である。中継搬送路Ｒｔ２には、二次転写後の記録用紙９を搬送する搬送ベルト６１が配置されている。排出搬送路Ｒｔ３は、定着後で画像が形成された記録用紙９を排出ロール対４５ｅによって装置本体１０の用紙排出口１１から排出収容部１２に排出するよう搬送する搬送路である。
【００５５】
中継搬送路Ｒｔ２の上方には、定着装置５０の記録用紙９の搬送方向に沿った上流側において、中間転写装置３０の二次転写位置から上方へ向けて分岐するように配置される中間転写ベルト３１との間に正面略三角形状の空所Ｓが形成されている。この正面略三角形状の空所Ｓは、後述するように、長尺紙９ａの記録用紙９に所要のタイミングで搬送不良が発生したとき、記録用紙９を送り込む送込位置として機能する。尚、符号Ｓは送込位置を示すものとしても使用する。
【００５６】
排出搬送路Ｒｔ３は、排出ロール対４５ｅ等と図示しない用紙案内部材で構成されている。反転搬送路Ｒｔ４は、その上端部に、排出搬送路Ｒｔ３の途中から下方に向けて湾曲した形状に分岐する導入搬送路Ｒｔ４’と、排出ロール対４５ｅの記録用紙９の搬送方向に沿った上流側において排出搬送路Ｒｔ３と合流するよう上方に向けて湾曲した形状に形成される導出搬送路Ｒｔ４”とを備えている。導出搬送路Ｒｔ４”は、排出ロール対４５ｅによって排出収容部１２へ排出される記録用紙９の表裏を反転する場合などに使用される。反転搬送路Ｒｔ４の上端部には、排出搬送路Ｒｔ３から記録用紙９の搬送方向を下方に切り替える切替部材４６が配置されている。また、導入搬送路Ｒｔ４’には、切替部材４６によって下方に搬送方向が切り替えられた記録用紙９を反転搬送路Ｒｔ４へと導くように搬送する導入ロール対４５ｆが設けられている。さらに、反転搬送路Ｒｔ４の中間部は、回転方向が正転方向と逆転方向に切替可能な反転ロール対４５ｇと図示しない用紙案内部材で構成されている。両面搬送路Ｒｔ５は、反転搬送路Ｒｔ４によって表裏が反転された記録用紙９を供給搬送路Ｒｔ１へ搬送する複数の両面搬送ロール対４５ｈ〜４５ｊ等と図示しない複数の用紙案内部材等で構成されている。
【００５７】
手差し給紙装置７０から中間転写装置３０の二次転写位置へと記録用紙９を搬送する補助供給搬送路Ｒｔ１’は、用紙搬送ロール対４５ｃの記録用紙９の搬送方向に沿って略直線状に配置されている。
【００５８】
この画像形成装置１では、以下に説明する基本的な画像形成動作が行われる。ここでは、４色（Ｙ，Ｍ，Ｃ，Ｋ）のトナー像を組み合わせて構成されるフルカラー画像を形成する場合の動作を例にして説明する。
【００５９】
まず、画像形成装置１は、制御装置１００が外部等から画像形成動作の要求指令を受けると、４つの作像装置２０（Ｙ，Ｍ，Ｃ，Ｋ）において、各感光体ドラム２１が矢印Ａで示す方向にそれぞれ回転され、各帯電装置２２が帯電電流の供給を受けて接触放電を発生させる。これにより、各感光体ドラム２１は、その像形成面が所要の極性（例えばマイナス極性）及び電位にそれぞれ帯電される。
【００６０】
続いて、各露光装置２３が、各感光体ドラム２１の帯電後における像形成面に対して各色成分（Ｙ，Ｍ，Ｃ，Ｋ）に分解された画像信号に応じた露光をそれぞれ行う。これにより、各感光体ドラム２１の像形成面には、所定の電位からなる各色成分の静電潜像がそれぞれ形成される。
【００６１】
続いて、各現像装置２４（Ｙ，Ｍ，Ｃ，Ｋ）が、所定の極性（マイナス極性）に帯電された各色（Ｙ，Ｍ，Ｃ，Ｋ）のトナーを、現像ロール２４１から供給するとともに、現像バイアスの供給を受けて現像ロール２４１と感光体ドラム２１との間に形成される現像電界により、感光体ドラム２１の像形成面における各色成分の静電潜像の部分に静電的に付着させる。これにより、各感光体ドラム２１の像形成面には、４色（Ｙ，Ｍ，Ｃ，Ｋ）のうちの対応する色のトナー像が個別に形成される。
【００６２】
続いて、各一次転写装置２５が一次転写電流の供給を受けて感光体ドラム２１との間に一次転写電界を形成することにより、各感光体ドラム２１上のトナー像を中間転写装置３０における中間転写ベルト３１の像保持面に対して順番（Ｙ，Ｍ，Ｃ，Ｋの順）に一次転写させる。また、ドラム清掃装置２６が、一次転写後等における各感光体ドラム２１の像形成面を清掃する。さらに、除電器２７が、一次転写後等における各感光体ドラム２１の像形成面を除電して、各感光体ドラム２１における次の作像動作に備える。
【００６３】
次いで、中間転写装置３０において、中間転写ベルト３１が矢印Ｂで示す方向に回転することにより、その像保持面に一次転写されて保持された未定着のトナー像を二次転写装置３３と向き合う二次転写位置まで搬送する。一方、給紙装置４０又は手差し給紙装置７０において、送出装置４２，７２が所要の記録用紙９を収容体４１又は手差しトレイ７１から供給搬送路Ｒｔ１又は補助供給搬送路Ｒｔ１’に送り出した後、供給搬送路Ｒｔ１又は補助供給搬送路Ｒｔ１’を経由させて中間転写装置３０の二次転写位置に送り込むよう供給する。そして、二次転写位置においては、二次転写装置３３が二次転写バイアスの供給を受けて中間転写ベルト３１との間に二次転写電界を形成することにより、中間転写ベルト３１上の４色のトナー像を記録用紙９の片面に対して二次転写させる。
【００６４】
次いで、未定着のトナー像が二次転写された記録用紙９が、中間転写ベルト３１から剥離された後に中継搬送路Ｒｔ２を経由して定着装置５０に送り込まれるよう搬送される。定着装置５０では、その記録用紙９が加熱用回転体５２と加圧用回転体５３の接触部分である定着処理部に導入されて通過する際に加熱及び加圧される。これにより、トナー像を構成するトナーが加圧下で溶融されて、トナー像が記録用紙９に定着される。
【００６５】
続いて、トナー像が定着された後の記録用紙９が、定着装置５０の筐体５１内から排出された後に排出搬送路Ｒｔ３を経由して搬送され、最後に用紙排出口１１から装置本体１０の外部に排出されて排出収容部１２に収容される。
【００６６】
また、記録用紙９の両面に画像を形成する場合は、片面に画像が形成された記録用紙９を排出収容部１２へ排出せずに、切替部材４６によって排出搬送路Ｒｔ３から反転搬送路Ｒｔ４へと切り替えられる。反転搬送路Ｒｔ４の反転ロール対４５ｇは、搬送されてきた記録用紙９の上端を挟持したままの状態で回転方向が正転方向から逆転方向に変更され、表裏を反転させた状態で記録用紙９を両面搬送路Ｒｔ５へと搬送する。両面搬送路Ｒｔ５へ搬送された記録用紙９は、供給搬送路Ｒｔ１を経由して裏面にトナー像が転写される。その後、記録用紙９は、中継搬送路Ｒｔ２を経由して定着装置５０まで搬送され、定着装置５０により定着処理（加熱及び加圧）を施され、排出搬送路Ｒｔ３を経由して排出収容部１２に収容される。
【００６７】
以上の動作が行われることにより、フルカラー画像が片面又は両面に形成された１枚の記録用紙９が出力される。また、複数枚の画像形成動作の要求指令を受けた場合は、その枚数分だけ上記画像形成動作が同様に繰り返して行われる。
【００６８】
この他、画像形成装置１では、上記画像形成動作において、４つの作像装置２０（Ｙ，Ｍ，Ｃ，Ｋ）のいずれか１つを作動させることにより単色の画像を形成することや、４つの作像装置２０（Ｙ，Ｍ，Ｃ，Ｋ）の２つ又は３つを組み合わせて作動させることによりフルカラー画像以外のカラー画像を形成することもできる。
【００６９】
ところで、この実施の形態１に係る画像形成装置１では、図４に示されるように、記録用紙９を搬送する供給搬送路Ｒｔ１，補助供給搬送路Ｒｔ１’、中継搬送路Ｒｔ２、排出搬送路Ｒｔ３、反転搬送路Ｒｔ４及び両面搬送路Ｒｔ５のいずれかにおいて、紙詰まり等の記録用紙９の搬送不良（所謂ジャム）が発生した場合、画像形成動作及び記録用紙９の搬送を一旦停止させるように構成されている。
【００７０】
ここで、記録用紙９の搬送不良とは、記録用紙９が所要の搬送路Ｒｔ１〜５に沿って適正に搬送されなかった場合を言う。更に説明すると、記録用紙９は、通常、そのサイズや材質等に応じて所要の搬送経路に沿って所要の搬送速度で搬送される。したがって、記録用紙９の搬送不良とは、記録用紙９の先端及び後端が本来搬送されるべき位置に本来搬送されるべき時間内に到達しなかった場合である。
【００７１】
その後、画像形成装置１は、記録用紙９の種類及び搬送不良が発生した箇所等に応じて、操作表示装置１４の表示部１４ｂに搬送不良が発生した記録用紙９の除去をユーザーに促す表示画面（メッセージ）を除去手順と共に表示する動作に加えて、必要に応じて、搬送不良が発生した記録用紙９を除去に適した位置へと適宜搬送するよう構成されている。
【００７２】
画像形成装置１は、図４に示されるように、画像形成時、記録用紙９の搬送位置を検知する用紙検知手段として複数の用紙センサ４７ａ〜４７ｐを備えている。これらの用紙センサ４７ａ〜４７ｐとしては、例えば、記録用紙９に光を照射するとともに、記録用紙９で反射された光を受光することにより、記録用紙９の有無を検知する反射式の光学センサが用いられる。ただし、用紙センサ４７ａ〜４７ｐは、反射式の光学センサに限定されるものではなく、透過式の光学センサや記録用紙９の通過に伴って傾斜移動するアクチュエータ等の作動部材と光学センサを組み合わせたものなどを用いても良い。
【００７３】
給紙装置４０には、供給ロール４２ｂの記録用紙９の搬送方向に沿った下流側に、記録用紙９の先端位置（上流側端部）又は後端位置（下流側端部）を検知する第１用紙センサ４７ａが配置されている。また、給紙装置４０には、図示しないソレノイドに通電することにより送出ロール４２ａを記録用紙９から離間するよう上方へ移動させた際に、当該送出ロール４２ａの上方への移動を検知する第２用紙センサ４７ｂが、送出ロール４２ａの近傍に設けられている。第２用紙センサ４７ｂは、厳密には記録用紙９を検知するものではないが、記録用紙９の搬送に直接関連するセンサであるため、用紙センサに含めて説明している。
【００７４】
供給搬送路Ｒｔ１には、用紙搬送ロール対４５ａの記録用紙９の搬送方向に沿った上流側、及び用紙搬送ロール対４５ｂの記録用紙９の搬送方向に沿った下流側に、それぞれ記録用紙９の先端位置又は後端位置を検知する第３及び第４用紙センサ４７ｃ，４７ｄが設けられている。第３用紙センサ４７ｃは、２つの収容部４１から供給される記録用紙９をそれぞれ検知するために用いられる。
【００７５】
また、供給搬送路Ｒｔ１と補助供給搬送路Ｒｔ１’が合流する合流位置Ｇ１の補助供給搬送路Ｒｔ１’側に寄った位置には、記録用紙９の後端位置を検知する第５用紙センサ４７ｅが設けられている。第５用紙センサ４７ｅは、補助供給搬送路Ｒｔ１’から供給される記録用紙９の後端が供給搬送路Ｒｔ１と補助供給搬送路Ｒｔ１’との合流位置Ｇ１を通過したことを検知するものである。
【００７６】
また、レジストロールとして機能する用紙搬送ロール対４５ｃの上流側及び下流側には、記録用紙９の先端位置又は後端位置を検知する第６及び第７用紙センサ４７ｆ，４７ｇがそれぞれ設けられている。第６用紙センサ４７ｆによって記録用紙９の先端位置が検知された後、所要の時間が経過した後に用紙搬送ロール対４５ｃの回転駆動が開始される。用紙搬送ロール対４５ｃによって搬送される記録用紙９の先端位置又は後端位置は、第７用紙センサ４７ｇによって検知される。
【００７７】
中間転写装置３０には、二次転写ロール３３１の記録用紙９の搬送方向に沿った下流側に、記録用紙９の先端位置又は後端位置を検知する第８用紙センサ４７ｈが設けられている。
【００７８】
定着装置５０には、筐体５１の上流側及び出口ロール５４の下流側にそれぞれ記録用紙９の先端位置又は後端位置を検知する第９及び第１０用紙センサ４７ｉ，４７ｊがそれぞれ設けられている。
【００７９】
排出搬送路Ｒｔ３には、排出ロール４５ｅの記録用紙９の搬送方向に沿った上流側に、記録用紙９の先端位置及び後端位置を検知する第１１用紙センサ４７ｋが配置されている。第１１用紙センサ４７ｋは、記録用紙９の先端位置及び後端位置の双方を検知することにより、記録用紙９が用紙排出口１１（図１参照）から排出収容部１２に排出されたことを検知するものである。
【００８０】
反転搬送路Ｒｔ４には、排出搬送路Ｒｔ３から分岐した導入搬送路Ｒｔ４’の入口に、記録用紙９の先端位置又は後端位置を検知する第１２用紙センサ４７ｌが設けられている。
【００８１】
両面搬送路Ｒｔ５には、両面搬送ロール４５ｈの記録用紙９の搬送方向に沿った上流側、及び両面搬送ロール４５ｊの記録用紙９の搬送方向に沿った下流側にそれぞれ記録用紙９を検知する第１３及び第１４用紙センサ４７ｍ，４７ｎが配置されている。
【００８２】
一方、手差し給紙装置７０には、供給ロール７２ｂの記録用紙９の搬送方向に沿った下流側に、記録用紙９の先端位置又は後端位置を検知する第１５用紙センサ４７ｏが配置されている。また、手差し給紙装置７０には、図示しないソレノイドに通電することにより送出ロール７２ａを記録用紙９から離間するよう上方へ移動させた際に、当該送出ロール４２ａの上方への移動を検知する第１６用紙センサ４７ｐが、送出ロール７２ａの近傍に設けられている。
【００８３】
定着装置５０の記録用紙９の搬送方向に沿った下流側には、記録用紙９の搬送方向を反転搬送経路Ｒｔ４へと切り替える切替ゲート４６が設けられている。切替ゲート４６は、第１ソレノイド４９ａによって駆動される。
【００８４】
また、反転搬送経路Ｒｔ４に設けられた反転ロール４５ｇは、第２ソレノイド４９ｂによって記録用紙９のニップ状態を解除可能に構成されている。反転ロール４５ｇは、記録用紙９の先端が両面搬送ロール４５ｈにニップされたタイミングで、第２ソレノイド４９ｂによって記録用紙９のニップ状態が解除される。
【００８５】
図５はこの発明の実施の形態１に係る画像形成装置の制御装置１００を示すブロック図である。
【００８６】
図において、符号１０１は、画像形成装置１の動作を統括的に制御する制御装置１００の制御手段の一例としての制御部を示している。制御部１０１は、画像形成動作を統括的に制御するＣＰＵ（Central Processing Unit）１０２や、ＣＰＵ１０２が実行する制御プログラム等を記憶するＲＯＭ（Read  Only  Memory）１０３、ＣＰＵ１０２が実行する制御プログラム等で使用するパラメータ等を記憶するＲＡＭ（Random  Access Memory）１０４、あるいはこれらＣＰＵ１０２やＲＯＭ１０３等を接続する図示しないバス、外部のパーソナルコンピュータや画像読取装置などと通信する通信インターフェイス１０５などを備える。
【００８７】
制御部１０１には、第１〜１６用紙センサ４７ａ〜４７ｐから記録用紙９の検知信号が適宜入力される。また、制御部１０１は、第１，２ソレノイド４９ａ，４９ｂや後述する駆動モータ４８の駆動を制御する。
【００８８】
ＣＰＵ１０２は、時間を計測する内部タイマー等の計時手段を備えている。ＣＰＵ０１２は、画像形成動作を制御するにあたって、制御信号の出力時間や第１〜１６用紙センサ４７ａ〜４７ｐからの信号の入力時間などを管理し、記録用紙９に搬送不良が発生したか否かを判別する。
【００８９】
制御部１０１には、操作表示装置１４が接続されている。制御部１０１は、操作表示装置１４の入力部１４ａから各種の指令を受信するとともに、表示部１４ｂに所要の情報を表示する動作を実行する。
【００９０】
ところで、画像形成装置１は、図４に示されるように、記録用紙９を搬送する搬送路として、供給搬送路Ｒｔ１，補助供給搬送路Ｒｔ１’、中継搬送路Ｒｔ２、排出搬送路Ｒｔ３、反転搬送路Ｒｔ４及び両面搬送路Ｒｔ５と多岐にわたる搬送路を備えている。そのため、画像形成装置１は、いずれかの搬送路Ｒｔ１〜Ｒｔ５において記録用紙９の搬送不良が発生したとき、装置本体１０のフロントカバーやサイドカバー等を開いただけでは、搬送不良が発生した記録用紙９を除去し難い場合がある。
【００９１】
この実施の形態では、図４に二点鎖線で示されるように、記録用紙９の搬送路のうち、供給搬送路Ｒｔ１と補助供給搬送路Ｒｔ１’が合流する合流位置Ｇ１より記録用紙９の搬送方向に沿った下流側に位置する供給搬送路Ｒｔ１と、中継搬送路Ｒｔ２と、排出搬送路Ｒｔ３と反転搬送路Ｒｔ４が合流する合流位置Ｇ２より記録用紙９の搬送方向に沿った上流側に位置する排出搬送路Ｒｔ３と、反転搬送路Ｒｔ４から分岐した両面搬送路Ｒｔ５と、用紙搬送ロール対４５ａより記録用紙９の搬送方向に沿った下流側に位置する供給搬送路Ｒｔ１とが、隣接する他の搬送路と分離して装置本体１０の手前側に図示しないガイドレールを介して引き出すことが可能となるよう用紙搬送ユニット８０を構成している。
【００９２】
この用紙搬送ユニット８０には、図６に示されるように、上述した搬送路以外に、用紙搬送ロール対４５ｃ、二次転写ロール３３１、定着装置５０及びこれらに付随する用紙センサ４７ｆ，４７ｇ，４７ｈ，４７ｉ，４７ｊ，４７ｌ，４７ｍ，４７ｎなどが装着されている。
【００９３】
用紙搬送ユニット８０は、図７（ａ）（ｂ）に示されるように、装置本体１０のフロントカバー１０ａを開くことにより、装置本体１０の外部に露出する。そして、用紙搬送ユニット８０は、その前面に回動可能に設けられた操作レバー８１を図中時計回り方向に沿って約９０度回動させることにより、装置本体１０に対するロック状態が解除されて装置本体１０の手前側に図示しないガイドレールを介して引き出すことが可能に構成されている。用紙搬送ユニット８０は、図６に示されるように、装置本体１０の手前側に引き出すことにより、供給搬送路Ｒｔ１と補助供給搬送路Ｒｔ１’が合流する合流位置Ｇ１より記録用紙９の搬送方向に沿った下流側に位置する供給搬送路Ｒｔ１、中継搬送路Ｒｔ２、排出搬送路Ｒｔ３と反転搬送路Ｒｔ４が合流する合流位置Ｇ２より記録用紙９の搬送方向に沿った上流側に位置する排出搬送路Ｒｔ３、反転搬送路Ｒｔ４から分岐した両面搬送路Ｒｔ５、用紙搬送ロール対４５ａより記録用紙９の搬送方向に沿った下流側に位置する供給搬送路Ｒｔ１が、それぞれ外部に露出する。また、用紙搬送ユニット８０は、図７（ｂ）に示されるように、装置本体１０の前面側に引き出された状態で、その右側の上端面に送込位置Ｓが露出した状態となる。
【００９４】
そのため、用紙搬送ユニット８０は、ユーザーが搬送不良となった記録用紙９に外部からアクセスすることにより、当該搬送不良が発生した記録用紙９を除去することが可能となる。
【００９５】
このとき、画像形成装置１は、図８に示されるように、用紙搬送ユニット８０が装置本体１０の前面側に引き出されることにより、供給搬送路Ｒｔ１と補助供給搬送路Ｒｔ１’の合流位置Ｇ１、及び排出搬送路Ｒｔ３と反転搬送路Ｒｔ４の合流位置Ｇ２において、記録用紙９の搬送路が記録用紙９の搬送方向に沿った上流側と下流側に分割される。そのため、供給搬送路Ｒｔ１と補助供給搬送路Ｒｔ１’の合流位置Ｇ１、又は排出搬送路Ｒｔ３と反転搬送路Ｒｔ４の合流位置Ｇ２を跨いで記録用紙９が存在する場合には、図７（ｂ）に示されるように、用紙搬送ユニット８０を装置本体１０の手前側に引き出すときに、搬送路が合流位置Ｇ１,Ｇ２の前後で分割されることにより、記録用紙９が破断される所謂ギロチン状態となる。
【００９６】
そこで、この実施の形態では、搬送不良が発生した記録用紙９が、供給搬送路Ｒｔ１と補助供給搬送路Ｒｔ１’の合流位置Ｇ１、及び排出搬送路Ｒｔ３と反転搬送路Ｒｔ４の合流位置Ｇ２を跨いで存在するとき、記録用紙９を搬送方向に沿った下流側である供給搬送路Ｒｔ１側、さらには同じく記録用紙９の搬送方向に沿った下流側である排出搬送路Ｒｔ３側へ向けて強制的に搬送する動作を実行することにより、用紙搬送ユニット８０を引き出す際に搬送路が合流位置Ｇ１,Ｇ２の前後で分割されることに伴って記録用紙９が破断されることを回避している。
【００９７】
その際、図９に示されるように、記録媒体が長尺紙９ａであって、長尺紙９ａの先端が中間転写装置３０の二次転写位置を通過し、且つ長尺紙９ａの先端が定着装置５０の上流側に位置するときに長尺紙９ａに搬送不良が発生した場合には、長尺紙９ａを用紙搬送ロール対４５ｃや用紙搬送ロール対４５ｄによって予め定められた送込位置Ｓへ送り込むように搬送する動作が実行される。
【００９８】
この長尺紙９ａを用紙搬送ロール対４５ｃや用紙搬送ロール対４５ｄによって送込位置Ｓへと送り込むように搬送する動作は、長尺紙９ａの搬送不良発生時、画像形成動作及び記録用紙９の搬送を一旦停止させた状態で、搬送不良が発生した長尺紙９ａを除去する動作の一環として行われる。
【００９９】
また、長尺紙９ａを含む記録用紙９に搬送不良が発生した場合には、画像形成動作及び記録用紙９の搬送を一旦停止させるが、この画像形成動作の停止に同期して、二次転写ロール３３１を図示しない接離手段によって中間転写装置３０の支持ロール３２ｃから離間させる動作が行われる。
【０１００】
このとき、図１０に示されるように、長尺紙９ａを用紙搬送ロール対４５ｃや用紙搬送ロール対４５ｄによって送込位置Ｓへ送り込むよう搬送する際に、長尺紙９ａの後端が用紙搬送ロール対４５ｄを通過した後は、長尺紙９ａを送込位置Ｓへと送り込むように搬送力を作用させる搬送手段が用紙搬送ロール対４５ｃのみとなる。その際、長尺紙９ａの先端は、送込位置Ｓへ送り込まれることで蛇腹状に変形する。長尺紙９ａは、通常の記録用紙９に比較して搬送方向に沿った長さが長く搬送負荷が大きい。そのため、用紙搬送ロール対４５ｃのみの搬送力では、長尺紙９ａを送込位置Ｓへと確実に送り込むことができず、長尺紙９ａの後端が合流位置Ｇ１を跨いだ状態で残る場合がある。
【０１０１】
画像形成装置１では、長尺紙９ａを送込位置Ｓへと送り込む動作を実行した後に、図７に示されるように、ユーザーがフロントカバー１０ａを開いて用紙搬送ユニット８０を装置本体１０の前面に引き出す操作を行って、用紙搬送ユニット８０から搬送不良が発生した長尺紙９ａを除去する操作が行われる。
【０１０２】
このとき、長尺紙９ａが送込位置Ｓへ確実に送り込まれていない場合には、図１０に示されるように、長尺紙９ａの後端が合流位置Ｇ１を前後に跨いだ状態で残ってしまい、用紙搬送ユニット８０を装置本体１０から引き出す際に、長尺紙９ａの後端が合流位置Ｇ１で破断されてしまい装置本体１０側に残る虞れを有している。
【０１０３】
そこで、この実施の形態に係る画像形成装置１は、図４に示されるように、長尺紙９ａを用紙搬送ロール対４５ｃや用紙搬送ロール対４５ｄによって予め定められた送込位置Ｓへ送り込むよう搬送するにあたり、定着装置５０の上流側に位置する二次転写ロール３３１を中間転写ベルト３１に接触させた状態で回転駆動させる駆動手段の一例としての第１駆動モータ４８ａを備えている。
【０１０４】
第１駆動モータ４８ａは、独自の駆動モータとして構成しても良いが、この実施の形態１では、第１駆動モータ４８ａを回転駆動させる駆動手段の一例として画像形成装置１のメインモータを用いている。第１駆動モータ４８ａは、二次転写ロール３３１を回転駆動させる以外に、イエロー（Ｙ）、マゼンタ（Ｍ）、シアン（Ｃ）及びブラック（Ｋ）の作像装置２０（Ｙ，Ｍ，Ｃ，Ｋ）の感光体ドラム２１などを回転駆動するとともに、二次転写ロール３３１をベルト支持ロール３２ｃに対して接触及び離間させるリトラクト手段を駆動させるリトラクトモータとしても機能する。
【０１０５】
画像形成装置１は、イエロー（Ｙ）、マゼンタ（Ｍ）、シアン（Ｃ）及びブラック（Ｋ）の作像装置２０（Ｙ，Ｍ，Ｃ，Ｋ）の一次転写装置２５を感光体ドラム２１に対して接離させるリトラクトモータとしての第２駆動モータ４８ｂを備えている。また、画像形成装置１は、一次転写装置２５が感光体ドラム２１から離間したことを検知するリトラクトセンサ４７ｑを備えている。
【０１０６】
更に、この実施の形態１に係る画像形成装置１では、中間転写ベルト３１を回転駆動するベルト駆動モータとしての第３駆動モータ４８ｃを備えている。
【０１０７】
さらに、画像形成装置１には、第１駆動モータ４８ａの回転駆動力を二次転写ロール３３１を中間転写ベルト３１から離間させるためのリトラクト手段に伝達するためのリトラクトクラッチＣＬが設けられている。
【０１０８】
また、画像形成装置１には、レジストロールとして機能する用紙搬送ロール対４５ｃを回転駆動するレジストモータとしての第４駆動モータ４８ｄが設けられている。
【０１０９】
二次転写ロール３３１は、長尺紙９ａを送込位置Ｓへ送り込むよう搬送するにあたり、中間転写ベルト３１を介してベルト支持ロール３２ｃにニップした状態とされる。また、二次転写ロール３３１は、二次転写動作を行わないため、支持ロール３２ｃには、二次転写バイアスが印加されない。
【０１１０】
また、この実施の形態では、長尺紙９ａを含む記録用紙９に搬送不良が発生したとき、記録用紙９の搬送不良が発生した位置に応じて、中間転写装置３０の駆動ロールとして機能するベルト支持ロール３２ａを駆動して中間転写ベルト３１を回転させるよう構成されている。
【０１１１】
＜画像形成装置の動作＞
この実施の形態１に係る画像形成装置１では、記録用紙９に搬送不良が発生したとき、次のようにして、記録用紙９の種類や搬送位置に応じて搬送不良を解消する動作が行われる。
【０１１２】
画像形成装置１において、長尺紙９ａに画像を形成する場合には、図１に示されるように、手差し給紙装置７０の手差しトレイ７１上に長尺紙９ａを載置し、操作表示装置１４の入力部１４ａにおいて記録媒体として長尺紙９ａを選択するとともに、給紙装置として手差し給紙装置７０を選択する操作を行った後、画像形成動作が開始される。
【０１１３】
画像形成装置１は、画像形成動作の開始に伴って、長尺紙９ａを手差し給紙装置７０によって給紙し、用紙搬送ロール対４５ｄ及び用紙搬送ロール対４５ｃを介して中間転写装置３０の二次転写位置へと長尺紙９ａを搬送する。そして、中間転写ベルト３１上に形成されたトナー像を二次転写ロール３３１によって長尺紙９ａ上に二次転写した後、定着装置５０によって定着処理を施して用紙排出部１２へと排出する。
【０１１４】
このとき、画像形成装置１では、例えば、図９に示されるように、補助供給搬送路Ｒｔ１’から供給搬送路Ｒｔ１を介して中継搬送路Ｒｔ２へと長尺紙９ａを搬送する際に、長尺紙９ａの先端が定着装置５０の搬送方向に沿った上流側の位置に到達した時点で、長尺紙９ａに搬送不良が発生する場合がある。
【０１１５】
制御装置１００の制御部１０１は、図５に示されるように、第１〜１６用紙センサ４７ａ〜４７ｐから出力される検知信号に基づいて、手差し給紙装置７０から長尺紙９ａの供給を開始してから、図１１に示されるように、予め定められた時間内に長尺紙９ａの先端の検知信号が入力されないと、長尺紙９ａに搬送不良が発生したことを検知する（ステップ１０１）。
【０１１６】
制御部１０１は、第１〜１６用紙センサ４７ａ〜４７ｐのうち、いずれの用紙センサから検知信号が入力されないかを判別することにより、長尺紙９ａを含む記録用紙９に搬送不良が発生した位置を特定する。
【０１１７】
その際、制御部１０１は、いずれの第１〜１６用紙センサ４７ａ〜４７ｐから検知信号が入力されないかを判別することにより、長尺紙９ａの搬送不良が発生した位置を特定し、搬送不良が発生した記録用紙９が合流位置Ｇ１，Ｇ２を跨いでいるか否かを判別する（ステップ１０２）。
【０１１８】
そして、制御部１０１は、搬送不良が発生した記録用紙９が合流位置Ｇ１，Ｇ２を跨いでいないと判別すると、通常のジャムクリアの手順に則り、操作表示装置１４の表示部１４ｂにおいてジャムクリア手順を表示する（ステップ１０８）。
【０１１９】
その後、ユーザーは、操作表示装置１４の表示部１４ｂに表示された通常のジャムクリアの手順に従って、搬送不良が発生した記録用紙９を除去することにより（ステップ１０９）、当該搬送不良が発生した記録用紙９の除去処理を終了する。
【０１２０】
一方、制御部１０１は、搬送不良が発生した記録用紙９が合流位置Ｇ１又はＧ２を跨いでいると判別すると、記録用紙９のサイズが長尺紙９ａであるか否かを判別する（ステップ１０３）。
【０１２１】
制御部１０１は、記録用紙９のサイズが長尺紙９ａでないと判別すると、通常の記録用紙９ａの送り込み動作を実施した後（ステップ１１０）、通常のジャムクリアの手順に則り、操作表示装置１４の表示部１４ｂにおいてジャムクリア手順を表示する（ステップ１０８）。
【０１２２】
ここで、通常の記録用紙９ａの送り込み動作とは、用紙搬送ロール対４５ｃを駆動させて送込位置Ｓへ記録用紙９を送り込むか、定着装置５０、排出ロール対４５ｅ及び導入搬送ロール４５ｆ等を駆動させて記録用紙９を送り込む動作である。
【０１２３】
そして、ユーザーは、表示装置１４の表示部１４ｂに表示された通常のジャムクリアの手順に従って、搬送不良が発生した記録用紙９を除去することにより（ステップ１０９）、当該搬送不良が発生した記録用紙９の除去処理を終了する。
【０１２４】
これに対して、制御部１０１は、記録用紙９のサイズが長尺紙９ａであると判別すると、記録用紙９ａが跨いでいる合流位置が手差し給紙装置７０と用紙搬送ロール対４５ｃとの間に位置する合流位置Ｇ１であるか否かを判別する（ステップ１０４）。
【０１２５】
そして、制御部１０１は、長尺紙９ａが跨いでいる合流位置が手差し給紙装置７０と用紙搬送ロール対４５ｃとの間に位置する合流位置Ｇ１でないと判別すると、通常の記録用紙の送り込み動作を実施した後（ステップ１１０）、通常のジャムクリアの手順に則り、操作表示装置１４の表示部１４ｂにおいてジャムクリア手順を表示するとともに（ステップ１０８）、ユーザーが表示装置１４の表示部１４ｂに表示された通常のジャムクリアの手順に従って搬送不良が発生した長尺紙９ａを除去することにより（ステップ１０９）、当該搬送不良が発生した長尺紙９ａの除去処理を終了する。
【０１２６】
一方、制御部１０１は、長尺紙９ａが跨いでいる合流位置が手差し給紙装置７０と用紙搬送ロール対４５ｃとの間に位置する合流位置Ｇ１であると判別すると、長尺紙９ａ上に未定着トナー像が残っているか否かを判別する（ステップ１０５）。
【０１２７】
ここで、長尺紙９ａが跨いでいる合流位置が手差し給紙装置７０と用紙搬送ロール対４５ｃとの間に位置する合流位置Ｇ１であって、且つ長尺紙９ａ上に未定着トナー像が残っていない場合とは、図１２に示されるように、長尺紙９ａの先端が中間転写装置３０の二次転写位置の上流側に位置する状態である。
【０１２８】
制御部１０１は、長尺紙９ａ上に未定着トナー像が残っていないと判別すると、長尺紙９ａの押し込み動作を実施することなく、通常のジャムクリアの手順に則り、操作表示装置１４の表示部１４ｂにおいてジャムクリア手順を表示するとともに（ステップ１０８）、ユーザーが表示装置１４の表示部１４ｂに表示された通常のジャムクリアの手順に従って、搬送不良が発生した長尺紙９ａを除去することにより（ステップ１０９）、当該処理を終了する。
【０１２９】
ここでいう通常のジャムクリアの手順とは、ユーザーが手差し給紙装置７０側から長尺紙９ａの搬送方向に沿った後端部を手で把持して装置本体１０の外部へ引っ張り出すことにより、搬送不良が発生した長尺紙９ａを除去する操作である。この場合には、長尺紙９ａ上に未定着トナー像が残っていないため、長尺紙９ａを装置本体１０の外部へ引っ張り出すことにより除去する操作を行っても、長尺紙９ａ上に未定着トナー像が用紙搬送ロール対４５ｃ，４５ｄや送出装置７２を汚す虞れがなく、問題とならない。
【０１３０】
これに対して、制御部１０１は、図９に示されるように、長尺紙９ａ上に未定着トナー像が残っていると判別すると、中間転写ベルト３１の清掃動作を実行する（ステップ１０６）。
【０１３１】
制御部１０１は、中間転写装置３０の支持ロール３２ａを駆動させて中間転写ベルト３１上に残っている未転写トナー像をベルト清掃装置３４によって清掃する動作を実行する。このとき、二次転写ロール３３１は、中間転写ベルト３１から離間した位置に移動されるが、中間転写ベルト３１に接触したままの状態であっても良い。
【０１３２】
その後、制御部１０１は、図１３に示されるように、タイミングＴ１において第２駆動モータ４８ｂを予め定められた時間だけ回転駆動して、イエロー（Ｙ）、マゼンタ（Ｍ）、シアン（Ｃ）及びブラック（Ｋ）の各一次転写装置２５を感光体ドラム２１から離間した退避位置へと移動させる。この一次転写装置２５の退避位置への移動は、リトラクトセンサ４７ｑによって検知される。
【０１３３】
制御部１０１は、図１４に示されるように、リトラクトセンサ４７ｑによって一次転写装置２５の退避位置への移動が検知されると、所要時間ｔ１だけ経過した後（Ｔ３）に、第１駆動モータ４８ａ及び第３駆動モータ４８ｃを駆動させて、イエロー（Ｙ）、マゼンタ（Ｍ）、シアン（Ｃ）及びブラック（Ｋ）の各感光体ドラム２１及び中間転写ベルト３１を回転駆動する。
【０１３４】
その後、制御部１０１は、所要時間ｔ２だけ経過したタイミングＴ４に、リトラクトクラッチＣＬをオン状態として動作させ、二次転写ロール３３１を回転駆動されている中間転写ベルト３１に接触させる。このとき、二次転写ロール３３１も第１駆動モータ４８ａによって回転駆動されている。
【０１３５】
その後、制御部１０１は、所要時間ｔ３だけ経過した後、第４駆動モータ４８ｃを予め定められた時間だけ駆動させて、二次転写ロール３３１に用紙搬送ロール対４５ｃを加えて長尺紙９ａを送込位置Ｓへと送り込む動作を実施する（ステップ１０７）。
【０１３６】
制御部１０１は、用紙搬送ロール対４５ｃを所要時間だけ駆動させた後、リトラクトクラッチＣＬを再度オン状態として、二次転写ロール３３１を中間転写ベルト３１から離間させ、離間動作が終了すると、第１及び第３駆動モータを停止させる。尚、このとき、一次転写装置２５は、感光体ドラム２１から離間したままの状態となっている。
【０１３７】
このように、上記実施の形態１では、長尺紙９ａを送込位置Ｓへと送り込む動作を実施する際に、感光体ドラム２１及び中間転写ベルト３１を駆動させた状態で、用紙搬送ロール対４５ｃに加えて二次転写ロール３３１をも同時に駆動させる。そのため、長尺紙９ａは、図１５に示されるように、長尺紙９ａの後端が合流位置Ｇ１を通過した位置まで確実に送り込まれる。なお、この長尺紙９ａを送り込む動作は、長尺紙９ａのすべてを押込位置Ｓへ送り込む必要はなく、長尺紙９ａの後端が確実に合流位置Ｇ１を通過した位置まで送り込まれていれば良い。
【０１３８】
その後、制御部１０１は、通常のジャムクリアの手順に則り、操作表示装置１４の表示部１４ｂにおいてジャムクリア手順を表示するとともに（ステップ１０８）、ユーザーが表示装置１４の表示部１４ｂに表示された通常のジャムクリアの手順に従って、搬送不良が発生した長尺紙９ａを除去することにより（ステップ１０９）、当該処理を終了する。
【０１３９】
ここで、通常のジャムクリアの手順とは、図１６に示されるように、操作表示装置１４の表示部１４ｂにおいて、画像形成装置１のフロントカバー１０ａを開いた後、用紙搬送ユニット８０の操作レバー８１を操作してロックを解除し、用紙搬送ユニット８０を装置本体１０の前面側に引き出して、押込位置Ｓへと押し込まれた長尺紙９ａを用紙搬送ユニット８０から除去するように促すものである。
【０１４０】
また、図１７に示されるように、長尺紙９ａの先端が合流位置Ｇ２を超えた位置で搬送不良が発生している場合には、定着装置５０の加熱用回転体５２及び加圧用回転体５３、並びに出口ロール５４のニップを解除した状態で、図１８に示されるように、画像形成装置１の右側面に位置するサイドカバー１０ｂを開放した状態で、長尺紙９ａを除去する動作が行われる。このとき、画像形成装置１では、二次転写ロール３３１及び定着装置５０のニップを解除すれば良く、一次転写装置２５のリトラクト動作及び中間転写ベルト３１の駆動動作は不要である。
【０１４１】
このように、この実施の形態では、記録用紙９が長尺紙９ａである場合であっても、用紙搬送ロール対４５ｃ及び中間転写ベルト３１を介して支持ロール３２ｃにニップしている二次転写ロール３３１によって、長尺紙９ａを送り込み位置Ｓへと確実に送り込むことが可能となる。
【０１４２】
そのため、記録用紙９が長尺紙９ａである場合であっても、長尺紙９ａの後端が合流位置Ｇ１を跨いで残ることがなく、用紙搬送ユニット８０を引き出す際に長尺紙９ａの後端が合流位置Ｇ１を跨いた状態で残って破断することが回避される。
【０１４３】
また、この実施の形態では、記録用紙９が長尺紙９ａである場合、当該長尺紙９ａを送込位置Ｓへ送り込むにあたり、一次転写ロール２５を感光体ドラム２１から離間（リトラクト）させた状態で、中間転写ベルト３１が回転駆動されるため、搬送不良が発生した長尺紙９ａは、回転駆動される中間転写ベルト３１と、当該中間転写ベルト３１に長尺紙９ａを介して押圧される二次転写ロール３３１によって送込位置Ｓへ確実に送り込むことが可能となる。
【０１４４】
[実施の形態２]
図１９は、実施の形態２に係る画像形成装置を示すものである。この実施の形態２では、複数の像保持手段のうち、中間転写手段の移動方向に沿った第２転写手段の上流側に最も近接した像保持手段は、独自の駆動手段を備えており、搬送不良が発生した記録媒体を第１搬送手段により送込位置へ搬送する際、独自の駆動手段を備えた像保持手段に対応した第１転写手段を中間転写手段から離間させず、像保持手段を独自の駆動手段により駆動するように構成されている。
【０１４５】
すなわち、この実施の形態２では、図２０に示されるように、イエロー（Ｙ）、マゼンタ（Ｍ）、シアン（Ｃ）及びブラック（Ｋ）の作像装置２０（Ｙ，Ｍ，Ｃ，Ｋ）のうち、二次転写位置に最も近接したブラック（Ｋ）の作像装置２０Ｋは、メインモータとしての第１駆動モータ４８ａ以外の独自の第５駆動モータ４８ｅを備えている。
【０１４６】
また、この実施の形態２に係る画像形成装置１では、図１９に示されるように、ブラック（Ｋ）の作像装置２０Ｋの一次転写装置２５が感光体ドラム２１から離間した位置にリトラクトせず、常時、中間転写ベルト３１を介して感光体ドラム２１に接触した状態となっている。
【０１４７】
そして、この実施の形態２に係る画像形成装置１では、図１９に示されるように、補助供給搬送路Ｒｔ１’から供給搬送路Ｒｔ１を介して中継搬送路Ｒｔ２へと長尺紙９ａを搬送する際に、長尺紙９ａの先端が定着装置５０の搬送方向に沿った上流側の位置に到達した時点で、長尺紙９ａに搬送不良が発生すると、次のような動作を実行する。
【０１４８】
すなわち、この実施の形態２では、図２１に示されるように、制御部１０１が、イエロー（Ｙ）、マゼンタ（Ｍ）、シアン（Ｃ）及びブラック（Ｋ）の作像装置２０（Ｙ，Ｍ，Ｃ，Ｋ）のうち、ブラック（Ｋ）の作像装置２０Ｋを除く一次転写装置２５を感光体ドラム２１から離間させ、ブラック（Ｋ）の作像装置２０Ｋの一次転写装置２５を感光体ドラム２１に接触させたままの状態で、第１及び第３駆動モータ４８ａ、４８ｃと共に第５駆動モータ４８ｅを回転駆動させる。
【０１４９】
そのため、この実施の形態２では、ブラック（Ｋ）の作像装置２０Ｋの一次転写装置２５を感光体ドラム２１に接触させたままの状態で、中間転写ベルト３１と共に二次転写ロール３３１を回転駆動させて、長尺紙９ａを送込位置Ｓへと確実に送り込むことが可能となる。
【０１５０】
なお、前記実施の形態では、第２転写手段を回転駆動する場合について説明したが、これに限定されるものではなく、第２転写手段を回転駆動させずに、記録媒体を介して中間転写手段に接触して従動回転するように構成しても良い。
【符号の説明】
【０１５１】
１…画像形成装置
１０…装置本体
３０…中間転写装置
３１…中間転写ベルト
３３…二次転写装置
３３１…二次転写ロール
４０…定着装置
４８…駆動モータ
８０…用紙搬送ユニット
Ｓ…押込位置
【図１】
2020052201.tif 000003
【図２】
2020052201.tif 000004
【図３】
2020052201.tif 000005
【図４】
2020052201.tif 000006
【図５】
2020052201.tif 000007
【図６】
2020052201.tif 000008
【図７】
2020052201.tif 000009
【図８】
2020052201.tif 000010
【図９】
2020052201.tif 000011
【図１０】
2020052201.tif 000012
【図１１】
2020052201.tif 000013
【図１２】
2020052201.tif 000014
【図１３】
2020052201.tif 000015
【図１４】
2020052201.tif 000016
【図１５】
2020052201.tif 000017
【図１６】
2020052201.tif 000018
【図１７】
2020052201.tif 000019
【図１８】
2020052201.tif 000020
【図１９】
2020052201.tif 000021
【図２０】
2020052201.tif 000022
【図２１】
2020052201.tif 000023